(57)【特許請求の範囲】
【請求項１】
複数のページを含むファイルを前記ファイルの領域ごとに画面に表示する第１表示部と、
前記画面上に表示されるバーを有するスクロールバーを表示する第２表示部と、
ユーザーにより前記第２表示部でタッチ入力された位置の、前記バーの長さ方向である第１方向の位置要素と前記第１方向とは異なる第２方向の位置要素とに基づいて、前記第１表示部が表示する前記領域を予め特徴付けされた領域に切り替える表示処理部と、を有し、
前記第１方向および前記第２方向は、それぞれページ番号が増大または減少する方向に対応することを特徴とする電子表示端末。
【請求項２】
複数のページを含むファイルを前記ファイルの領域ごとに画面に表示する第１表示部と、
前記画面上に表示されるバーを有するスクロールバーを表示する第２表示部と、
ユーザーにより前記第２表示部でタッチ入力された位置の、前記バーの長さ方向である第１方向の位置要素と前記第１方向とは異なる第２方向の位置要素とに基づいて、前記第１表示部が表示する前記領域を予め特徴付けされた領域に切り替える表示処理部と、
前記複数のページのうち前記特徴付けされた領域を含む特徴付けされたページのページ位置を、前記スクロールバー上に目印で表示する目印表示手段と、を有し、
前記目印表示手段は、前記ファイルに含まれるページのページ数と前記特徴付けされたページの分布とに基づき、前記特徴付けされたページの前記目印が重なって表示されると判断した場合は、重なって表示されると判断された前記特徴付けされたページの少なくともいずれかのページ位置を表示する一つの特定目印を他の前記目印と区別可能な目印として表示することを特徴とする電子表示端末。
【請求項３】
前記スクロールバーは、前記バー上に表示され前記バーの長さに対する相対的位置により前記第１表示部に表示された前記領域が含まれるページのページ位置を表わす指標をさらに有し、
前記表示処理部は、前記第１表示部に表示された前記切り替えられた領域が含まれるページのページ位置に対応して前記指標を移動させることを特徴とする請求項１に記載の電子表示端末。
【請求項４】
前記複数のページのうち前記特徴付けされた領域を含む特徴付けされたページのページ位置を、前記スクロールバー上に目印で表示する目印表示手段をさらに有することを特徴とする請求項１または３に記載の電子表示端末。
【請求項５】
前記特徴付けされたページは、手書きが追加されたページであることを特徴とする請求項４に記載の電子表示端末。
【請求項６】
前記目印表示手段は、前記ファイルに含まれるページのページ数と前記特徴付けされたページの分布とに基づき、前記特徴付けされたページの前記目印が重なって表示されると判断した場合は、重なって表示されると判断された前記特徴付けされたページの少なくともいずれかのページ位置を表示する一つの特定目印を他の前記目印と区別可能な目印として表示することを特徴とする請求項４または５に記載の電子表示端末。
【請求項７】
前記目印表示手段により表示される前記特定目印は、前記特定目印上でタッチ入力されることにより前記第２方向に延びることを特徴とする請求項２または６に記載の電子表示端末。
【請求項８】
前記スクロールバーは、前記ファイルの前記領域が表示される範囲外に表示されることを特徴とする請求項１〜７のいずれか一項に記載の電子表示端末。
【請求項９】
前記ファイルの前記領域は、一つのページ全体および一つのページの一部の少なくともいずれかであることを特徴とする請求項１〜８のいずれか一項に記載の電子表示端末。
【請求項１０】
複数のページを含むファイルを前記ファイルの領域ごとに画面の第１表示部に表示する手順（ａ）と、
前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記手順（ａ）において前記第１表示部に表示された前記領域を予め特徴付けされた領域に切り替える手順（ｂ）と、を有し、
前記第１方向および前記第２方向は、それぞれページ番号が増大または減少する方向に対応する、電子表示端末に実行させるためのプログラム。
【請求項１１】
複数のページを含むファイルを前記ファイルの領域ごとに画面の第１表示部に表示する手順（ａ）と、
前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記手順（ａ）において前記第１表示部に表示された前記領域を予め特徴付けされた領域に切り替える手順（ｂ）と、
前記複数のページのうち前記特徴付けされた領域を含む特徴付けされたページのページ位置を、前記スクロールバー上に目印で表示する手順（ｃ）と、を有し、
前記手順（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示する、電子表示端末に実行させるためのプログラム。
【請求項１２】
前記スクロールバーは、前記バー上に表示され前記バーの長さに対する相対的位置により前記第１表示部に表示された前記領域が含まれるページのページ位置を表わす指標をさらに有し、
前記手順（ｂ）は、前記第１表示部に表示された前記切り替えられた領域が含まれるページのページ位置に対応して前記指標を移動させることを特徴とする請求項１０に記載のプログラム。
【請求項１３】
前記手順は、前記複数のページのうち前記特徴付けされた領域を含む特徴付けされたページのページ位置を、前記スクロールバー上に目印で表示する手順（ｃ）をさらに有することを特徴とする請求項１０または１２に記載のプログラム。
【請求項１４】
前記特徴付けされたページは、手書きが追加されたページであることを特徴とする請求項１３に記載のプログラム。
【請求項１５】
前記手順（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示することを特徴とする請求項１３または１４に記載のプログラム。
【請求項１６】
前記手順（ｃ）において表示される前記特定目印は、前記特定目印上でタッチ入力されることにより前記第２方向に延びることを特徴とする請求項１１または１５に記載のプログラム。
【請求項１７】
前記スクロールバーは、前記手順（ａ）において前記ファイルの前記領域が表示される範囲外に表示されることを特徴とする請求項１０〜１６のいずれか一項に記載のプログラム。
【請求項１８】
前記ファイルの前記領域は、一つのページ全体および一つのページの一部の少なくともいずれかであることを特徴とする請求項１０〜１７のいずれか一項に記載のプログラム。
【請求項１９】
請求項１０〜１８のいずれか一項に記載のプログラムが記録されたコンピュータ読み取り可能な記録媒体。
【請求項２０】
複数のページを含むファイルを前記ファイルの領域ごとに画面の第１表示部に表示する段階（ａ）と、
前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記段階（ａ）において前記第１表示部に表示された前記領域を予め特徴付けされた領域に切り替える段階（ｂ）と、を有し、
前記第１方向および前記第２方向は、それぞれページ番号が増大または減少する方向に対応することを特徴とする表示方法。
【請求項２１】
複数のページを含むファイルを前記ファイルの領域ごとに画面の第１表示部に表示する段階（ａ）と、
前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記段階（ａ）において前記第１表示部に表示された前記領域を予め特徴付けされた領域に切り替える段階（ｂ）と、
前記複数のページのうち前記特徴付けされた領域を含む特徴付けされたページのページ位置を、前記スクロールバー上に目印で表示する段階（ｃ）と、を有し、
前記段階（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示することを特徴とする表示方法。
【請求項２２】
前記スクロールバーは、前記バー上に表示され前記バーの長さに対する相対的位置により前記第１表示部に表示された前記領域が含まれるページのページ位置を表わす指標をさらに有し、
前記段階（ｂ）は、前記第１表示部に表示された前記切り替えられた領域が含まれるページのページ位置に対応して前記指標を移動させることを特徴とする請求項２０に記載の表示方法。
【請求項２３】
前記複数のページのうち前記特徴付けされた領域を含む特徴付けされたページのページ位置を、前記スクロールバー上に目印で表示する段階（ｃ）をさらに有することを特徴とする請求項２０または２２に記載の表示方法。
【請求項２４】
前記特徴付けされたページは、手書きが追加されたページであることを特徴とする請求項２３に記載の表示方法。
【請求項２５】
前記段階（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示することを特徴とする請求項２３または２４に記載の表示方法。
【請求項２６】
前記段階（ｃ）において表示される前記特定目印は、前記特定目印上でタッチ入力されることにより前記第２方向に延びることを特徴とする請求項２１または２５に記載の表示方法。
【請求項２７】
前記スクロールバーは、前記段階（ａ）において前記ファイルの前記領域が表示される範囲外に表示されることを特徴とする請求項２０〜２６のいずれか一項に記載の表示方法。
【請求項２８】
前記ファイルの前記領域は、一つのページ全体および一つのページの一部の少なくともいずれかであることを特徴とする請求項２０〜２７のいずれか一項に記載の表示方法。
【発明の詳細な説明】
【技術分野】
【０００１】
本発明は、電子表示端末、電子表示端末用プログラム、電子表示端末用プログラムが記録された記録媒体、および表示方法に関する。
【背景技術】
【０００２】
電子ペーパー端末等の電子表示端末においては、ドキュメントファイルに含まれるページのうち所望のページを容易に見つけ出して画面表示できることが画面上におけるドキュメントの操作性を向上させるために重要である。
【０００３】
画面上でドキュメントの所望のページを容易に見つけ出して表示する技術としては下記特許文献１に示すようなものがある。すなわち、ドキュメントの各ページの重ね画像を、ページに付された付箋を当該ページに付加して表示する文書処理装置において、ユーザーがカーソルを付箋上に位置させたことを検知して付箋が付加されたページの概要を表示する。そして、カーソルを付箋上に位置させた状態で選択信号が入力されることで当該ページを表示する。これにより、画面にページ画像の表示領域を十分確保しつつ、表示されたページの概要を手掛かりとすることで、所望のページの捜索および表示を容易に実現するというものがある。
【先行技術文献】
【特許文献】
【０００４】
【特許文献１】特開２００６−１１３７６５号公報
【発明の概要】
【発明が解決しようとする課題】
【０００５】
しかし、上述した従来技術は、ドキュメントのページ数が増大し、かつ所望のページの候補である付箋が付加されたページが連続的に存在することで当該付箋が付加されたページが集中すると、各付箋上に正確にカーソルを正確に位置させることが困難になる。これにより、付箋が付加されたページから所望のページを検出して当該ページに表示を切り替えることが困難になるという問題がある。
【０００６】
本発明はこのような問題を解決するためになされたものである。すなわち、スクロールバーを備える表示端末において、ユーザーにより画面上でタッチ入力された位置の、スクロールバーのバーの長さ方向である第１方向の位置要素と当該第１方向とは異なる第２方向の位置要素とに基づいて表示するドキュメントの領域を切り替える。また、領域が切り替えられた後に表示される当該領域が含まれるページのページ位置を、バーの長さに対するバー上の指標の相対的な位置として表示する。これにより、所望のページの候補であるページが集中し、表示しようとするページの位置をスクロールバーのバー上で正確にタッチ入力できない場合であっても、バーから離れた位置におけるタッチ入力に基づいてより正確に表示したいドキュメントの領域を表示できる。従って、ドキュメントのページ数が増大し、かつ表示を所望するページの候補が連続的に存在することにより集中しても、ドキュメントの表示領域を確保しつつ表示を所望するページの捜索および表示を容易に実現することを目的とする。
【課題を解決するための手段】
【０００７】
本発明の上記課題は、以下の手段によって解決される。
【０００８】
（１）複数のページを含むファイルを前記ファイルの領域ごとに画面に表示する第１表示部と、前記画面上に表示されるバーを有するスクロールバーを表示する第２表示部と、ユーザーにより前記第２表示部でタッチ入力された位置の、前記バーの長さ方向である第１方向の位置要素と前記第１方向とは異なる第２方向の位置要素とに基づいて、前記第１表示部が表示する前記領域を予め特徴付けされた領域に切り替える表示処理部と、を有し、前記第１方向および前記第２方向は、それぞれページ番号が増大または減少する方向に対応する電子表示端末。
（２）複数のページを含むファイルを前記ファイルの領域ごとに画面に表示する第１表示部と、前記画面上に表示されるバーを有するスクロールバーを表示する第２表示部と、ユーザーにより前記第２表示部でタッチ入力された位置の、前記バーの長さ方向である第１方向の位置要素と前記第１方向とは異なる第２方向の位置要素とに基づいて、前記第１表示部が表示する前記領域を予め特徴付けされた領域に切り替える表示処理部と、前記複数のページのうち前記特徴付けされた領域を含む特徴付けされたページのページ位置を、前記スクロールバー上に目印で表示する目印表示手段と、を有し、前記目印表示手段は、前記ファイルに含まれるページのページ数と前記特徴付けされたページの分布とに基づき、前記特徴付けされたページの前記目印が重なって表示されると判断した場合は、重なって表示されると判断された前記特徴付けされたページの少なくともいずれかのページ位置を表示する一つの特定目印を他の前記目印と区別可能な目印として表示する電子表示端末。
（３）前記スクロールバーは、前記バー上に表示され前記バーの長さに対する相対的位置により前記第１表示部に表示された前記領域が含まれるページのページ位置を表わす指標をさらに有し、前記表示処理部は、前記第１表示部に表示された前記切り替えられた領域が含まれるページのページ位置に対応して前記指標を移動させる上記（１）に記載の電子表示端末。
【０００９】
（４）前記複数のページのうち前記特徴付けされた領域を含む特徴付けされたページのページ位置を、前記スクロールバー上に目印で表示する目印表示手段をさらに有する上記（１）または（３）に記載の電子表示端末。
【００１０】
（５）前記特徴付けされたページは、手書きが追加されたページである上記（４）に記載の電子表示端末。
【００１１】
（６）前記目印表示手段は、前記ファイルに含まれるページのページ数と前記特徴付けされたページの分布とに基づき、前記特徴付けされたページの前記目印が重なって表示されると判断した場合は、重なって表示されると判断された前記特徴付けされたページの少なくともいずれかのページ位置を表示する一つの特定目印を他の前記目印と区別可能な目印として表示する上記（４）または（５）に記載の電子表示端末。
【００１２】
（７）前記目印表示手段により表示される前記特定目印は、前記特定目印上でタッチ入力されることにより前記第２方向に延びる上記（２）または（６）に記載の電子表示端末。
【００１３】
（８）前記スクロールバーは、前記ファイルの前記領域が表示される範囲外に表示される上記（１）〜（７）のいずれかに記載の電子表示端末。
【００１４】
（９）前記ファイルの前記領域は、一つのページ全体および一つのページの一部の少なくともいずれかである上記（１）〜（８）のいずれかに記載の電子表示端末。
【００１５】
（１０）複数のページを含むファイルを前記ファイルの領域ごとに画面の第１表示部に表示する手順（ａ）と、前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記手順（ａ）において前記第１表示部に表示された前記領域を予め特徴付けされた領域に切り替える手順（ｂ）と、を有し、前記第１方向および前記第２方向は、それぞれページ番号が増大または減少する方向に対応する、電子表示端末に実行させるためのプログラム。
（１１）複数のページを含むファイルを前記ファイルの領域ごとに画面の第１表示部に表示する手順（ａ）と、前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記手順（ａ）において前記第１表示部に表示された前記領域を予め特徴付けされた領域に切り替える手順（ｂ）と、前記複数のページのうち前記特徴付けされた領域を含む特徴付けされたページのページ位置を、前記スクロールバー上に目印で表示する手順（ｃ）と、を有し、前記手順（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示する、電子表示端末に実行させるためのプログラム。
（１２）前記スクロールバーは、前記バー上に表示され前記バーの長さに対する相対的位置により前記第１表示部に表示された前記領域が含まれるページのページ位置を表わす指標をさらに有し、前記手順（ｂ）は、前記第１表示部に表示された前記切り替えられた領域が含まれるページのページ位置に対応して前記指標を移動させる上記（１０）に記載のプログラム。
【００１６】
（１３）前記手順は、前記複数のページのうち前記特徴付けされた領域を含む特徴付けされたページのページ位置を、前記スクロールバー上に目印で表示する手順（ｃ）をさらに有する上記（１０）または（１２）に記載のプログラム。
【００１７】
（１４）前記特徴付けされたページは、手書きが追加されたページである上記（１３）に記載のプログラム。
【００１８】
（１５）前記手順（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示する上記（１３）または（１４）に記載のプログラム。
【００１９】
（１６）前記手順（ｃ）において表示される前記特定目印は、前記特定目印上でタッチ入力されることにより前記第２方向に延びる上記（１１）または（１５）に記載のプログラム。
【００２０】
（１７）前記スクロールバーは、前記手順（ａ）において前記ファイルの前記領域が表示される範囲外に表示される上記（１０）〜（１６）のいずれかに記載のプログラム。
【００２１】
（１８）前記ファイルの前記領域は、一つのページ全体および一つのページの一部の少なくともいずれかである上記（１０）〜（１７）のいずれかに記載のプログラム。
【００２２】
（１９）上記（１０）〜（１８）のいずれかに記載のプログラムが記録されたコンピュータ読み取り可能な記録媒体。
【００２３】
（２０）複数のページを含むファイルを前記ファイルの領域ごとに画面の第１表示部に表示する段階（ａ）と、前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記段階（ａ）において前記第１表示部に表示された前記領域を予め特徴付けされた領域に切り替える段階（ｂ）と、を有し、前記第１方向および前記第２方向は、それぞれページ番号が増大または減少する方向に対応する表示方法。
（２１）複数のページを含むファイルを前記ファイルの領域ごとに画面の第１表示部に表示する段階（ａ）と、前記画面上に表示されるバーを有するスクロールバーを第２表示部に表示させ、ユーザーにより前記第２表示部でタッチ入力された位置の、前記バーの長さ方向である第１方向の位置要素と前記第１方向とは異なる第２方向の位置要素とに基づいて、前記段階（ａ）において前記第１表示部に表示された前記領域を予め特徴付けされた領域に切り替える段階（ｂ）と、前記複数のページのうち前記特徴付けされた領域を含む特徴付けされたページのページ位置を、前記スクロールバー上に目印で表示する段階（ｃ）と、を有し、前記段階（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示することを特徴とする表示方法。
（２２）前記スクロールバーは、前記バー上に表示され前記バーの長さに対する相対的位置により前記第１表示部に表示された前記領域が含まれるページのページ位置を表わす指標をさらに有し、前記段階（ｂ）は、前記第１表示部に表示された前記切り替えられた領域が含まれるページのページ位置に対応して前記指標を移動させる上記（２０）に記載の表示方法。
【００２４】
（２３）前記複数のページのうち前記特徴付けされた領域を含む特徴付けされたページのページ位置を、前記スクロールバー上に目印で表示する段階（ｃ）をさらに有する上記（２０）または（２２）に記載の表示方法。
【００２５】
（２４）前記特徴付けされたページは、手書きが追加されたページである上記（２３）に記載の表示方法。
【００２６】
（２５）前記段階（ｃ）は、前記ファイルに含まれるページのページ数と前記特徴付けされたページの分布とに基づき、前記特徴付けされたページの前記目印が重なって表示されると判断された場合は、重なって表示されると判断された前記特徴付けされたページの少なくともいずれかのページ位置を表示する一つの特定目印を他の前記目印と区別可能な目印として表示する上記（２３）または（２４）に記載の表示方法。
【００２７】
（２６）前記段階（ｃ）において表示される前記特定目印は、前記特定目印上でタッチ入力されることにより前記第２方向に延びる上記（２１）または（２５）に記載の表示方法。
【００２８】
（２７）前記スクロールバーは、前記段階（ａ）において前記ファイルの前記領域が表示される範囲外に表示される上記（２０）〜（２６）のいずれかに記載の表示方法。
【００２９】
（２８）前記ファイルの前記領域は、一つのページ全体および一つのページの一部の少なくともいずれかである上記（２０）〜（２７）のいずれかに記載の表示方法。
【発明の効果】
【００３０】
スクロールバーを備える表示端末において、ユーザーにより画面上でタッチ入力された位置の、スクロールバーのバーの長さ方向である第１方向の位置要素と当該第１方向とは異なる第２方向の位置要素とに基づいて表示するドキュメントの領域を切り替える。また、領域が切り替えられた後に表示される当該領域が含まれるページのページ位置を、バーの長さに対するバー上の指標の相対的な位置として表示する。これにより、所望のページの候補であるページが集中し、表示しようとするページの位置をスクロールバーのバー上で正確にタッチ入力できない場合であっても、バーから離れた位置におけるタッチ入力に基づいてより正確に表示したいドキュメントの領域を表示できる。従って、ドキュメントのページ数が増大し、かつ表示を所望するページの候補が連続的に存在することにより集中しても、ドキュメントの表示領域を確保しつつ表示を所望するページの捜索および表示を容易に実現することができる。
【図面の簡単な説明】
【００３１】
【図１】本発明の第１実施形態に係る電子表示端末の例である電子ペーパー端末を含む表示システムを示すブロック図である。
【図２】ＰＣの構成を示すブロック図である。
【図３】本発明の第１実施形態に係る電子ペーパー端末の構成を示すブロック図である。
【図４】本発明の第１実施形態に係る電子ペーパー端末の表示部の主要部の構造を示す断面図である。
【図５】本発明の第１実施形態に係る電子ペーパー端末の正面図である。
【図６】本発明の第１実施形態に係る電子ペーパー端末において手書きが追加されたページが表示されている状態を示す図である。
【図７】手書きを追加したページのページ位置を示すペンマークが表示された状態のスクロールバーを示す図である。
【図８】手書きを追加したページのページ位置を示すペンマークが表示された状態のスクロールバーにおいて、手書きを追加した他のページを表示させるためにペンマークへのタッチ入力をしようとする状態を示す図である。
【図９】手書きが追加されたページが集中している場合に、一つのページのページ位置を表示するペンマークのみで表示した場合と、複数のページのページ位置を表示する特定ペンマークを使用して表示した場合とを比較して示す説明図である。
【図１０】特定ペンマーク上でタッチ入力されることで第２方向に延びた状態を延びる前と比較して示す図である。
【図１１】特定ペンマーク上におけるタッチ入力の位置と表示部のページ表示領域に表示されるページとの相関関係を示す図である。
【図１２】本発明の第１実施形態に係る電子ペーパー端末の各動作のフローチャートである。
【図１３】図１２のフローチャートのステップＳ１２０２のサブルーチンフローチャートである。
【図１４】図１２のフローチャートのステップＳ１２０３のサブルーチンフローチャートである。
【図１５】図１２のフローチャートのステップＳ１２０４のサブルーチンフローチャートである。
【図１６】本発明の第２実施形態に係る電子ペーパー端末において、スクロールバーに対し離隔または近接させる方向にタッチ入力する位置を変化させることに対応してページ表示領域に表示されるページが切り替わる様子を示す説明図である。
【図１７】本発明の第２実施形態に係る電子ペーパー端末の各動作のフローチャートである。
【図１８】図１７のフローチャートのステップＳ１７０２のサブルーチンフローチャートである。
【図１９】図１７のフローチャートのステップＳ１７０３のサブルーチンフローチャートである。
【図２０】図１７のフローチャートのステップＳ１７０４のサブルーチンフローチャートである。
【発明を実施するための形態】
【００３２】
以下、図面を参照して、本発明の実施形態に係る電子表示端末、電子表示端末用プログラム、電子表示端末用プログラムが記録された記録媒体、および表示方法について詳細に説明する。なお、本明細書において、画像データの「表示」には、「画像として表示」の意味が含まれるものとする。
【００３３】
（第１実施形態）
図１は、本発明の第１実施形態に係る電子表示端末の例である電子ペーパー端末を含む表示システムを示すブロック図である。
【００３４】
図１に示すように、表示システム１は、ＰＣ（Ｐｅｒｓｏｎａｌ  Ｃｏｍｐｕｔｅｒ）１０と、電子ペーパー端末２０とを有する。
【００３５】
図１に示すように、ＰＣ１０と電子ペーパー端末２０とは無線または有線によりネットワーク３０に接続され、ネットワーク３０を介して相互に通信可能に接続される。ネットワーク３０は、無線または有線のＬＡＮ（Ｌｏｃａｌ  Ａｒｅａ  Ｎｅｔｗｏｒｋ）により構成されることができる。
【００３６】
なお、ＰＣ１０と電子ペーパー端末２０の数は限定されず、ＰＣ１０は例えばサーバーを構成することで複数の電子ペーパー端末２０に対しドキュメントファイル（以下、単に「ファイル」と称する）の送信を行うことができるようにしてもよい。
【００３７】
図２は、ＰＣの構成を示すブロック図である。
【００３８】
図２に示すように、ＰＣ１０は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、ＨＤＤ（Ｈａｒｄ  Ｄｉｓｋ  Ｄｒｉｖｅ）１０４、操作部１０５、表示部１０６、および通信部１０７を備えており、これらは信号をやり取りするためのバス１０８を介して相互に接続される。
【００３９】
ＣＰＵ１０１は、プログラムに従って上記各部の制御や各種の演算処理を行う。
【００４０】
ＲＡＭ１０２は、作業領域として一時的にプログラムやデータを記憶する。
【００４１】
ＲＯＭ１０３は、各種プログラムや各種データを格納する。
【００４２】
ＨＤＤ１０４は、オペレーティングシステム、プリンタードライバー、およびその他の各種プログラムや各種データを格納する。プリンタードライバーは、ファイルをビットマップ形式の画像データに変換するためのソフトウェアである。
【００４３】
操作部１０５は、例えばマウスといったポインティングデバイスやキーボードを含み、各種の操作、入力を行うために使用される。
【００４４】
表示部１０６は、例えば液晶ディスプレイであり、各種の情報を表示する。
【００４５】
通信部１０７は、外部機器と通信するためのインターフェースであり、無線通信インターフェース、電話回線に接続するための電話回線インターフェース等を利用することができる。
【００４６】
ＰＣ１０は上述した構成を有することにより以下のように作用する。
【００４７】
ＣＰＵ１０１は、電子ペーパー端末２０からの要求に応じ、ＨＤＤ１０４に保存されているファイルを読み出し、プリンタードライバーによりファイルを電子ペーパー２０により表示可能なデータ形式の画像データに変換する。そして、変換されたファイルを電子ペーパー端末２０に送信する。
【００４８】
プリンタードライバーにより画像データに変換されるファイルには、例えば、マイクロソフト社の文書作成ソフトウェアであるＷＯＲＤにより作成されたワード文書、マイクロソフト社の表計算ソフトウェアであるＥＸＣＥＬ（登録商標）によるエクセル文書、またはＰＤＦ（Ｐｏｒｔａｂｌｅ  Ｄｏｃｕｍｅｎｔ  Ｆｏｒｍａｔ）文書が含まれる。
【００４９】
電子ペーパー端末２０により表示可能な画像データのデータ形式は、例えば、ＴＩＦＦ（Ｔａｇｇｅｄ  Ｉｍａｇｅ  Ｆｉｌｅ  Ｆｏｒｍａｔ）またはビットマップである。なお、電子ペーパー２０がワード文書やＰＤＦ文書をそのままのデータ形式で表示できる場合は、プリンタードライバーによるファイルのデータ形式の変換は不要である。
【００５０】
図３は、本実施形態に係る電子ペーパー端末の構成を示すブロック図である。
【００５１】
図３に示すように、電子ペーパー端末２０は、システム制御部２０１、記憶部２０２、表示処理部２０３、表示部２０４、操作部２０５、通信部２０６、電源状態監視部２０７、および電源ユニット２０８を有する。システム制御部２０１、記憶部２０２、表示処理部２０３、操作部２０５、通信部２０６、および電源状態監視部２０７は、信号をやり取りするためのバス２０９を介して相互に接続される。表示処理部２０３と表示部２０４とは、表示処理部２０３が表示部２０４に画像データを表示させるための制御信号を表示処理部２０３から表示部２０４へ送信するための専用線２０３１で接続される。電源ユニット２０８と電源状態監視部２０７とは電源ユニット２０８の電源状態を監視するための監視信号をやり取りする等のための専用線２０７１で接続される。
【００５２】
表示部２０４は表示手段を構成する。操作部２０５、表示処理部２０３、および表示部２０４は目印表示手段を構成する。
【００５３】
システム制御部２０１は、例えばＣＰＵにより構成されることができ、プログラムに従って、電子ペーパー端末２０を構成する各構成要素を制御するとともに各種演算処理を行う。
【００５４】
すなわち、システム制御部２０１は、ＰＣ１０からのファイルの送受信の制御、記憶部２０２へのファイルの保存の制御、記憶部２０２からのファイルの読み出しの制御を行う。また、システム制御部２０１は、表示処理部２０３による表示部２０４への画像データの表示の制御、およびユーザーにより操作部２０５に入力される操作指示の制御を行う。
【００５５】
記憶部２０２は、例えばＲＡＭ、およびＲＯＭから構成されることができ、各種プログラムや各種データを記憶する。
【００５６】
記憶部２０２は、ＰＣ１０から受信したファイルや、システム制御部２０１が電子ペーパー端末２０の各構成要素を制御するための設定を記憶する。
【００５７】
表示処理部２０３は、表示部２０４に画像データであるファイルを表示させるための制御を行う。
【００５８】
表示部２０４は、例えば、電気泳動方式のディスプレイであり、画像データ等各種情報を表示する画面である。電気泳動方式のディスプレイは、同じ画像の表示を保持している間は消費電力を生じず、表示する画像の更新時において消費電力を生じるという特徴を有する。
【００５９】
図４は、電子ペーパー端末の表示部の主要部の構造を示す断面図である。
【００６０】
図４に示すように、表示部２０４は、負電荷を帯びた黒色顔料２０４２および正電荷を帯びた白色顔料２０４１がオイル等の透明分散媒とともに封入されたマイクロカプセル２０４３による電気泳動方式の表示技術を採用している。
【００６１】
表面層２０４４は、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な導電膜からなる透明電極２０４５が配置されている。また、支持層２０４８はポリイミドフィルム等の絶縁性を有する材料からなる背面基板であり、その前面側には個々のマイクロカプセル２０４３に対応する微小な金属板からなる背面電極（セグメント電極）２０４７が配置されている。
【００６２】
そして、個々の背面電極２０４７と透明電極２０４５との間にはマイクロカプセル２０４３が配置されており、個々のマイクロカプセル２０４３は接着層２０４６を介して個々の背面電極２０４７と接合されている。このように、２枚の電極２０４５、２０４７を介して前面基板（表面層２０４４）と背面基板（支持層２０４８）との間の空間に２次元的に配置された多数のマイクロカプセル２０４３が表示部２０４の表示領域を形成している。
【００６３】
このように配置されたマイクロカプセル２０４３による表示原理は次の通りである。一つのマイクロカプセル２０４３に対応する背面電極２０４７に正電位が与えられると、負電荷を帯びた黒色顔料２０４２が背面電極２０４７側に移動するとともに正電荷を帯びた白色顔料２０４１が透明電極２０４５側に移動するので、マイクロカプセル２０４３は表示領域の前面側から見て白色を表示することになる。
【００６４】
同様に、一つのマイクロカプセル２０４３に対応する背面電極２０４７に負電位が与えられると、正電荷を帯びた白色顔料２０４１が背面電極２０４７側に移動するとともに負電荷を帯びた黒色顔料２０４２が透明電極２０４５側に移動するので、マイクロカプセル２０４３は表示領域の前面側から見て黒色を表示することになる。
【００６５】
図３に戻り、操作部２０５は、例えばタッチパネル、スクロールバー、ボタン、およびアイコンにより構成され、ユーザーにより各種操作指示や手書きによる文字、記号、または図形等（以下、単に「手書き」と称する）の入力がなされる。
【００６６】
操作部２０５の構成要素であるタッチパネルは、表示部２０４を構成するディスプレイの表示面側に貼付されており、操作部２０５は、タッチパネル上でユーザーによりタッチペン等でタッチ入力された位置を座標として検出することができる。ユーザーは、表示部２０４にファイルのページ（以下、単に「ページ」と称する）を表示させた状態で当該ページに対しタッチ入力による手書きの入力を行うことができる。操作部２０５は、タッチ入力による手書きの入力を座標データに変換して手書きデータを作成し、表示部２０４に表示されているページのレイヤーデータとして当該ページに付加することができる。これにより、手書きデータは表示部２０４においてページと重畳して表示される。
【００６７】
操作部２０５の構成要素であるスクロールバーは、表示部２０４に表示されているページのページ位置を、バーと指標であるノブの相対的位置により表す。より詳細には、スクロールバーは、表示部２０４に表示されているページのページ位置を、バーの長さと指標であるノブの相対的位置により表す。ここで、「ページ位置」とは、ファイルに含まれるページをページ番号順に並べたときの全ページに対する当該ページの相対的位置をいう。また、スクロールバーは、バー上でユーザーにタッチ入力された位置に指標を移動させるとともに、移動後の指標の位置に対応するページ位置に存在するページを表示部２０４に表示させる。ここで、「指標」には、スクロールバーの一般的な構成要素であるノブやスクロールエリアが含まれる。
【００６８】
図５は、電子ペーパー端末の正面図である。
【００６９】
図５に示すように、電子ペーパー端末２０の表示部２０４のページ表示領域５０１にページが表示される。ページ表示領域５０１に表示されるページは、ページめくりボタン５０２を押すことによりページを一ページ毎に切替えることができる。
【００７０】
スクロールバー５０３は、表示部２０４のページが表示されるページ表示領域５０１の範囲外である下部表示部５０４に表示される。
【００７１】
スクロールバー５０３は、ページ表示領域５０１に表示されているページのページ位置を、バーの長さとノブ５０３２の相対的位置により表す。また、スクロールバー５０３は、バー５０３１上でユーザーにタッチ入力された位置に指標であるノブ５０３２を移動させるとともに、移動後のノブ５０３２の位置に対応するページ位置に存在するページをページ表示領域５０１に表示させる。
【００７２】
図６は、電子ペーパー端末において手書きが追加されたページが表示されている状態を示す図である。手書きが追加されたページは、特徴付けされたページに相当する。
【００７３】
図６に示すように、ページ表示領域５０１に表示されているページに、タッチペンによるタッチ入力により手書き６０１が追加されている。
【００７４】
なお、ページ表示領域５０１の右側に表示されているアイコンのうち線の書式変更用アイコン６０２をクリックすることにより、手書きの線の太さ、色、および種類等の線の書式を変えることができる。手書きの線の書式の情報は、後述するように、手書きを追加したページのページ位置を示す目印であるペンマークをスクロールバー５０３に表示する際に、いずれかの書式の線による手書きが追加されたページのみを表示させるためのフィルタリングに利用することができる。
【００７５】
図７は、手書きを追加したページのページ位置を示すペンマークが表示された状態のスクロールバーを示す図である。図８は、手書きを追加したページのページ位置を示すペンマークが表示された状態のスクロールバーにおいて、手書きを追加した他のページを表示させるためにペンマークへのタッチ入力をしようとする状態を示す図である。
【００７６】
システム制御部２０１は、レイヤーデータとして手書きデータが付加されているページを検出し、当該ページのページ位置を示すペンマーク５０３３をスクロールバー５０３上に表示させる。
【００７７】
図７に示すように、スクロールバー５０３には、手書きを追加したページのページ位置を示すペンマーク５０３３が３つ示されている。従って、このペンマーク５０３３により、ペンマーク５０３３が表示された３つのページ位置の各ページについてそれぞれ手書きが追加されていることが判る。
【００７８】
ユーザーは、スクロールバー５０３のバー５０３１上で、いずれかのペンマーク５０３３に対しタッチペンによりタッチ入力することで、タッチ入力されたペンマーク５０３３のページ位置に存在する手書きが追加されたページをページ表示領域５０１に直接表示できる。
【００７９】
図７に示す状態においては、スクロールバー５０３のノブ５０３２が３つのペンマーク５０３３のうち最もページ番号の小さいページのページ位置を表わす位置にある。従って、この状態においては、手書きが追加されたページのうち最もページ番号の小さいページがページ表示領域５０１に表示されている。
【００８０】
図８に示すように、ユーザーは、スクロールバー５０３に表示された３つのペンマーク５０３３のうち最もページ番号の大きいページのページ位置に表示されたものに対しタッチペン８０１によりタッチ入力を行うことができる。これにより、手書きが追加されたページのうち最もページ番号の大きいページをページ表示領域５０１に直接表示させることができる。
【００８１】
図７、８に表示されている各ペンマーク５０３３は、手書きが追加されたページのページ毎のページ位置を表わしている。すなわち、各ペンマーク５０３３は、それぞれ単一のページのページ位置を表わしている。図７、８の例においては、手書きが追加されたページ数がファイルの全ページ数に対して少なく、かつ手書きが追加されたページが連続していないため、ペンマーク５０３３は重ならず、ペンマーク５０３３への正確なタッチ入力が容易な状態にある。しかし、ファイルのページ数が増大し、かつ手書きが追加されたページが連続的に存在することで、手書きが追加されたページがファイルの一部に集中すると、ペンマーク５０４３が重なり、ペンマーク５０３３への正確なタッチ入力が困難となる。
【００８２】
そこで、本実施形態においては、手書きが追加されたページが集中することによりペンマーク５０３３が重なることとなる場合は、手書きが追加された複数のページのページ位置を他のペンマーク５０３３と区別可能な一つの特定ペンマーク５０３３Ａで表示する。さらに、特定ペンマーク５０３３Ａ上でスクロールバー５０３から離隔または近接する方向にタッチペン８０１によりタッチ入力する位置を変えることで、特定ペンマークでページ位置が表示された複数のページのうちページ表示領域５０１に表示させるページを切り替える。
【００８３】
図９は、手書きが追加されたページが集中している場合に、一つのページのページ位置を表示するペンマークのみで表示した場合と、複数のページのページ位置を表示する特定ペンマークを使用して表示した場合とを比較して示す説明図である。
【００８４】
図９のＡは、ファイルの全ページ９０１と、手書きが追加されたページ９０２とを示す概念図である。図９のＢは、手書きが追加されたページが集中している場合に、一つのページのページ位置を表示するペンマークのみで手書きが追加された各ページのページ位置を表示した場合のスクロールバーの上部を示す図である。図９のＣは、手書きが追加されたページが集中している場合に、複数のページのページ位置を表示する特定ペンマークを使用して手書きが追加された各ページのページ位置を表示した場合のスクロールバーの上部を示す図である。
【００８５】
図９のＡに示すように、手書きが追加されたページは、第７ページ、第２０〜第２２ページ、第２４〜第２５ページ、および第４０〜第４１ページである。
【００８６】
図９のＢに示すように、手書きが追加されたページが集中している場合に、一つのページのページ位置を表示するペンマーク５０３３のみで手書きが追加された各ページを表示した場合は、ペンマーク５０３３が重なって表示される。特に手書きが追加されたページが連続する第２０〜第２２ページ、および第２３〜第２４ページのページ位置を表わすペンマーク５０３３は重なりが顕著となるため、各ペンマーク５０３３に対しタッチ入力を正確に行うことは困難となる。
【００８７】
そこで、本実施形態においては、図９のＣの上図に示すように、手書きが追加されたページが集中することでペンマーク５０３３が重なるかどうかをシステム制御部２０１が判断する。システム制御部２０１は、ファイルに含まれるページのページ数と手書きが追加されたページの分布とに基づいてペンマーク５０３３が重なるかどうか判断する。ここで、「ページの分布」には、ファイルに含まれる全ページの中で手書きが追加されたページが存在する頻度を示すあらゆる情報が含まれ、例えば、ページ間隔が含まれる。システム制御部２０１は、例えば、ファイルに含まれるページのページ数が多く、かつ手書きが追加されたページが連続する（すなわち、手書きが追加されたページのページ間隔が零である）ことによりペンマーク５０３３が重なるかどうか判断することができる。その際、ファイルに含まれるページのページ数と手書きが追加されたページのページ間隔とにそれぞれ閾値を設定することによりペンマーク５０３３が重なるかどうか判断してもよい。
【００８８】
システム制御部２０１によりペンマーク５０３３が重なると判断された場合は、操作部２０５は、複数のページのページ位置を表示する特定ペンマーク５０３３Ａを使用してスクロールバー５０４に手書きが追加されたページを表示する。なお、特定ペンマーク５０３３Ａは、特定ペンマーク５０３３Ａによりページ位置が表示される複数のページのいずれかのページのページ位置に対応するスクロールバー５０３のバー５０３１上の位置に表示されることができる。例えば、特定ペンマーク５０３３Ａによりページ位置が表示される複数のページのうち最もページ番号の小さいページのページ位置に対応するスクロールバー５０３のバー５０３１上の位置にその先端が配置されることができる。
【００８９】
また、図９のＣに示すように、特定ペンマーク５０３３Ａは他のペンマーク５０３３と区別できるようにするために、一つのペンマークを最上層としてその裏に他のペンマークが重なっているような外観を有することができる。
【００９０】
さらに、図９のＣの下図に示すように、ユーザーは、タッチペン８０１を特定ペンマーク５０３３Ａ上でタッチしたままスクロールバー５０４から離隔または近接する方向にスライドさせるタッチ入力を行う。または、ユーザーは、特定ペンマーク５０３３Ａに沿ってスクロールバー５０４から離隔または近接する方向にタッチペン８０１を逐一タッチさせるタッチ入力を行う。操作部２０５は、特定ペンマーク５０３３Ａ上におけるユーザーによるタッチ入力を検知する。操作部２０５は、特定ペンマーク５０３３Ａ上でタッチ入力された位置に基づいて、特定ペンマーク５０３３Ａによりページ位置が表示された複数のページのうち表示領域５０１に表示させるページを切り替える。すなわち、操作部２０５は、タッチ入力された位置の、スクロールバー５０３のバー５０３１の長さ方向である第１方向の位置要素（Ｘ座標）と、バー５０３１の長さ方向と異なる方向である第２方向の位置要素（Ｙ座標）とに基づいて表示されるページを切り替える。第２方向は特定ペンマーク５０３３Ａに沿った方向である特定ペンマーク５０３３Ａの長さ方向であってもよい。操作部２０５は、特定ペンマーク５０３３Ａ上でタッチ入力された位置に基づいて表示されるページを切り替えるとともに、ページ切替後に表示領域５０１に表示されるページのページ位置を表わす位置にスクロールバー５０３のノブ５０２を移動させる。
【００９１】
図９のＣの下図に示すように、ユーザーは、特定ペンマーク５０３３Ａのスクロールバー５０３に近接した下側から、スクロールバー５０３から離隔した上側に向けてタッチペン８０１を特定ペンマーク５０３３Ａ上にタッチさせたままスライドさせる。または、ユーザーは、特定ペンマーク５０３３Ａの下側から上側に向けて逐一タッチする位置を変える。このようなタッチ入力により、第２０、第２１、第２２、第２４、第２５ページの順に各ページが表示部２０４のページ表示領域５０１に切替表示される。
【００９２】
なお、特定ペンマーク５０３３Ａは、タッチされることにより上記第２方向に延びるように構成されてもよい。
【００９３】
図１０は、特定ペンマーク上でタッチ入力されることで第２方向に延びた状態を延びる前と比較して示す図である。図１０においては、第２方向に延びたペンマーク５０３３Ａ２が実線で、第２方向に延びる前のペンマーク５０３３Ａ１が破線で示されている。第２方向は、特定ペンマーク５０３３Ａに沿った方向に設定されている。このように、特定ペンマーク５０３３Ａがタッチにより第２方向に延びるようすることで、特定ペンマーク５０３３Ａが伸びる方向へのタッチ入力により特定ペンマーク５０３３Ａが表示する手書きが追加された複数のページを容易かつ的確に表示できる。
【００９４】
図１１は、特定ペンマーク上におけるタッチ入力の位置と表示部のページ表示領域に表示されるページとの相関関係を示す図である。
【００９５】
図１１に示すように、ユーザーによる特定ペンマーク５０３３Ａ上におけるタッチ入力の位置が上下に変化することに伴い、集中している手書きが追加されたページである２０、２１、２２、２４、２５ページがページ表示領域５０１に切替表示されている。
【００９６】
図３に戻り、本実施形態に係る電子ペーパー端末２０の他の構成要素について説明する。
【００９７】
通信部２０６は、外部機器と通信するためのインターフェースであり、無線通信インターフェース、電話回線に接続するための電話回線インターフェース等を利用することができる。
【００９８】
通信部２０６は、ＰＣ１０との間でファイルおよびその他のデータの送受信を行う。
【００９９】
電源状態監視部２０７は、電源ユニット２０８の状態を監視し、バッテリーの残量を検知してシステム制御部２０１に送信する。バッテリーの残量は、例えば、電源ユニット２０８の出力電圧を計測し、あらかじめ求めて記憶部２０２に記憶させておいた電源ユニット２０８の出力電圧とバッテリーの残量との関係のテーブルと比較することにより検出されることができる。
【０１００】
システム制御部２０１は、電源状態監視部２０７により受信されたバッテリーの残量があらかじめ定めた閾値未満となったときに表示部２０４に警告を表示させることができる。
【０１０１】
電源ユニット２０８は、電子ペーパー端末２０の構成要素としてのハードウェアに電力を供給する装置であり、電子ペーパー端末２０のポータビリティを考慮して、例えば、アルカリ蓄電池やリチウムイオン電池等の二次電池により構成されることができる。
【０１０２】
電子ペーパー端末２０は上述した構成を有することにより以下のように作用する。
【０１０３】
通信部２０６は、操作部２０５に入力されるユーザーの指示に基づいて、ＰＣ１０からファイルを受信し、記憶部２０２は通信部２０６により受信されたファイルを記憶する。
【０１０４】
表示部２０４は、表示処理部２０３による制御により、通信部２０６により受信されたファイルをページ毎に表示する。
【０１０５】
操作部２０５は、ユーザーによりタッチパネル上でタッチ入力された手書きをタッチ入力された位置の座標データに変換して手書きデータを作成し、手書きが追加されたページのレイヤーデータとしてファイルに付加し記憶部２０２に保存する。表示部２０４は、手書きデータをページとともに表示する。
【０１０６】
システム制御部２０１は、レイヤーデータとして手書きデータが付加されているページを検出し、当該ページのページ位置を示すペンマーク５０３３をスクロールバー５０３に表示させる。この際、システム制御部２０１は、手書きが追加されたページが集中することでペンマーク５０３３が重なることとなる場合は、複数のページのページ位置を表示する特定ペンマーク５０３３Ａを使用して手書きが追加されたページを表示する。
【０１０７】
操作部２０５は、特定ペンマーク上のユーザーによるタッチ入力の位置がスクロールバー５０４から離隔または近接する方向に変化したことを検知する。操作部２０５は、特定ペンマーク上のタッチ入力の位置に基づいて、特定ペンマーク５０３３Ａによりページ位置が表示された複数のページのうち表示領域５０１に表示させるページを切り替える。
【０１０８】
次に、電子ペーパー端末２０の動作について、図１２〜図１５のフローチャートを参照して説明する。
【０１０９】
図１２は、本実施形態に係る電子ペーパー端末の各動作のフローチャートである。本フローチャートは、電子ペーパー２０にインストールされたプログラムにより実行されることができる。
【０１１０】
システム制御部２０１は、電源が投入されると初期設定を行う（Ｓ１２０１）。初期設定とは、表示部２０４に初期画面を表示させ、ファイルのロード、タッチ入力、その他ユーザーによる操作を可能とするためのイニシャライズを行うことをいう。
【０１１１】
システム制御部２０１は、ペンマークの表示設定を行う（Ｓ１２０２）。図１３は、ステップＳ１２０２のサブルーチンフローチャートである。
【０１１２】
システム制御部２０１は、ユーザーによる指示に基づく新たなファイルのロードがあったかどうか判断する（Ｓ１３０１）。システム制御部２０１は、新たなファイルのロードがないと判断したときは（Ｓ１３０１：ＮＯ）、本サブルーチンフローチャートを終了する。
【０１１３】
システム制御部２０１は、新たなファイルのロードがあったと判断したときは（Ｓ１３０１：ＹＥＳ）、ロードされたファイルのトップページ（第１ページ）を表示部２０４のページ表示領域５０１に表示する。
【０１１４】
システム制御部２０１は、スクロールバー５０３の表示処理を行い、スクロールバー５０３をタッチパネル上に表示させる（Ｓ１３０３）。この際、ページ表示領域５０１にはトップページが表示されているため、スクロールバー５０３のノブ５０３２はトップページのページ位置を表わす位置に表示されている。
【０１１５】
システム制御部２０１は、ファイルに手書きが入力されたページがあるかどうか判断する（Ｓ１３０４）。システム制御部２０１は、ファイルに手書きが追加されたページがないと判断したときは（Ｓ１３０４：ＮＯ）、本サブルーチンフローチャートを終了する。
【０１１６】
システム制御部２０１は、ファイルに手書きが追加されたページがあると判断したときは（Ｓ１３０４：ＹＥＳ）、手書きページが集中することにより、ペンマーク５０３３をスクロールバー５０３において表示させると重なるかどうか判断する（Ｓ１３０５）。システム制御部２０１は、ペンマーク５０３３をスクロールバー５０３において表示させても重ならないと判断したときは（Ｓ１３０５：ＮＯ）、ステップＳ１２０７に移行する。
【０１１７】
システム制御部２０１は、ペンマーク５０３３をスクロールバー５０３において表示させると重なると判断したときは（Ｓ１３０５：ＹＥＳ）、ペンマーク５０３３を表示すると重なる複数のページを、複数のページのページ位置を表示する特定ペンマーク５０３３に割り当てる（Ｓ１３０６）。
【０１１８】
システム制御部２０１は、スクロールバー５０３に手書きが追加されたページのページ位置を表示するペンマーク５０３３およびステップＳ１２０６において複数のページに割り当てられた当該複数のページのページ位置を表示する特定ペンマーク５０３３Ａを表示する。
【０１１９】
図１２に戻り、システム制御部２０１は、ファイルの保存処理を行う（Ｓ１２０３）。図１４は、ステップＳ１２０３のサブルーチンフローチャートである。
【０１２０】
システム制御部２０１は、ユーザーによる指示に基づき、ファイルを保存するかどうか判断する（Ｓ１４０１）。システム制御部２０１は、ファイルを保存しないと判断したときは（Ｓ１４０１：ＮＯ）、本サブルーチンフローチャートを終了する。
【０１２１】
システム制御部２０１は、ファイルを保存すると判断したときは（Ｓ１４０１：ＹＥＳ）、ユーザーにより手書きが追加されたファイルの保存かどうか判断する（Ｓ１４０２）。システム制御部２０１は、手書きが追加されたファイルの保存ではないと判断したときは（Ｓ１４０２：ＮＯ）、ステップＳ１４０４に移行し、ファイルを保存する。
【０１２２】
システム制御部２０１は、手書きが追加されたファイルの保存であると判断したときは（Ｓ１４０２：ＹＥＳ）、手書きが追加されたページの情報（以下。「手書きページの情報」と称する）をレイヤーデータとしてファイルに付加する。手書きページの情報には、手書きデータの他、例えば、手書きが追加されたページのページ番号、手書きが追加された日時、手書きの種類、および手書きの量（面積）が含まれる。
【０１２３】
ここで、手書きの種類とは、例えば、手書きの線の太さ、色、および種類等の手書きの線の書式である。また、手書きの量とは手書きの線の面積の総和であり、追加された手書きの多少を示す。
【０１２４】
手書きが追加されたページのページ番号、手書きが追加された日時、手書きの種類、および手書きの量（面積）は、手書きを追加したページのページ位置を示すペンマークをスクロールバー５０３に表示する際のフィルタリングに利用することができる。例えば、手書きの追加において、「主張」の追加に青色の線が用いられた場合、システム制御部２０１は、ユーザーによる操作に従い、手書きページの情報に基づいて、青色の線による手書きが追加されたページについてのみ特定ペンマーク５０３３Ａまたはその他のペンマーク５０３３を表示できる。これにより、ユーザーは、「主張」の手書きが追加されたページのみを簡単に表示させることができる。
【０１２５】
システム制御部２０１は、ファイルに手書きページの情報が付加されている場合は、手書きページの情報とともにファイルを保存する（Ｓ１４０４）。
【０１２６】
図１２に戻り、システム制御部２０１は、タッチ入力の処理および画面表示処理を行う（Ｓ１２０４）。図１５は、ステップＳ１２０４のサブルーチンフローチャートである。
【０１２７】
操作部２０５は、ユーザーによりタッチ入力がされたかどうか判断する（Ｓ１５０１）。操作部２０５は、タッチ入力がされていないと判断したときは（Ｓ１５０１：ＮＯ）、本サブルーチンフローチャートを終了する。
【０１２８】
操作部２０５は、タッチ入力がされたと判断したときは（Ｓ１５０１：ＹＥＳ）、特定ペンマーク５０３３Ａまたはその他のペンマーク５０３３にタッチ入力がされたかどうか判断する（Ｓ１５０２）。操作部２０５は、特定ペンマーク５０３３Ａまたはその他のペンマーク５０３３にタッチ入力されていないと判断したときは（Ｓ１５０２：ＮＯ）、その他の処理を行う（Ｓ１５０７）。その他の処理とは、例えば、ページへの手書き入力の処理である。
【０１２９】
操作部２０５は、特定ペンマーク５０３３Ａまたはその他のペンマーク５０３３にタッチ入力されたと判断したときは（Ｓ１５０２：ＹＥＳ）、タッチ入力されたのが特定ペンマーク５０３３Ａかどうか判断する（Ｓ１５０３）。
【０１３０】
操作部２０５は、タッチ入力されたのが特定ペンマーク５０３３Ａではないと判断したときは（Ｓ１５０３：ＮＯ）、タッチ入力されたペンマーク５０３３が表示されたスクロールバー５０３上のページ位置のページを表示部２０４の表示領域５０１に表示させる（Ｓ１５０４）。
【０１３１】
操作部２０５は、タッチ入力されたのが特定ペンマーク５０３３Ａであると判断したときは（Ｓ１５０３：ＹＥＳ）、タッチ位置である特定ペンマーク５０３３Ａ上の座標（Ｘ,Ｙ）に基づき、当該座標に割り当てられたページを表示部２０４の表示領域５０１に表示させる（Ｓ１５０４）。
【０１３２】
ステップＳ１５０３〜ステップＳ１５０６は、タッチ入力が終了するまで繰り返される（Ｓ１５０６）。すなわち、例えば、ユーザーがタッチペン８０１を特定ペンマーク５０３３Ａ上でタッチしたままスクロールバー５０３から離隔または近接する方向にスライドさせるタッチ入力を行う場合、タッチペン８０１をスライドさせている間はタッチ入力が終了していない。従って、このような場合は、タッチペン８０１がスライドされることで連続的にタッチされている特定ペンマーク５０３３Ａ上の位置である座標（Ｘ,Ｙ）に基づき、当該座標に割り当てられたページが表示領域５０１に連続的に表示される。
【０１３３】
図１２に戻り、システム制御部２０１は、その他の入出力処理を行う（Ｓ１２０５）。その他の入出力処理とは、例えば、書込みが追加されたファイルのＰＣ１０への送信である。
【０１３４】
システム制御部２０１は、ユーザーにより電源ＯＦＦの操作がされるまでステップＳ１２０２〜Ｓ１２０６を繰り返し行う（Ｓ１２０６）。
【０１３５】
以上、本発明の第１実施形態に係る電子表示端末、電子表示端末用プログラム、電子表示端末用プログラムが記録された記録媒体、および表示方法について説明したが、本実施形態は以下の効果を奏する。
【０１３６】
スクロールバーを備える表示端末において、特徴付けされたページのページ位置を示す目印をスクロールバー上に表示する。さらに、ユーザーにより画面上でタッチ入力された位置の、スクロールバーのバーの長さ方向である第１方向の位置要素と当該第１方向とは異なる第２方向の位置要素とに基づいて表示するドキュメントの領域を切り替える。また、領域が切り替えられた後に表示される当該領域が含まれるページのページ位置を、バーの長さに対するバー上の指標の相対的な位置として表示する。これにより、所望のページの候補であるページが集中し、表示しようとするページの位置をスクロールバーのバー上で正確にタッチ入力できない場合であっても、所望のページの候補のページ位置を示す目印を頼りに、バーから離れた位置におけるタッチ入力に基づいてより正確に表示したいドキュメントの領域を表示できる。従って、ドキュメントのページ数が増大し、かつ表示を所望するページの候補が連続的に存在することにより集中しても、ドキュメントの表示領域を確保しつつ表示を所望するページの捜索および表示を容易に実現することができる。
【０１３７】
さらに、手書きが追加されたページを特徴付けされたページとすることにより、他人によって手書きが追加されたページのうち所望のページを容易に検索および表示することができる。
【０１３８】
さらに、ファイルに含まれるページのページ数と特徴付けされたページの分布とに基づき、特徴付けされたページの目印が重なって表示されると判断された場合に、重なって表示されると判断される前記特徴付けされたページの少なくともいずれかのページ位置を表示する一つの特定目印を上記目印に替えて表示する。これにより、特定目印によって表示を所望するページの候補のページ位置を把握可能にしつつスクロールバー上に重なって表示される目印を削減することができる。従って、より的確に所望のページの捜索を行うことができる。
【０１３９】
さらに、特定目印を、タッチされることにより上記第２方向に延びるようにする。これにより、特定目印が伸びる方向にタッチ入力することで特定目印によりページ位置が表示される複数の特徴付けされたページをより容易かつ的確に表示できる。従って、表示を所望するページの捜索および表示をより容易に実現することができる。
【０１４０】
さらに、スクロールバーを、表示手段がファイルの領域を表示する範囲外に表示する。これにより、ページの表示領域を十分確保しつつ、表示を所望するページの捜索および表示を容易に実現することができる。
【０１４１】
さらに、表示手段が表示するファイルの領域を一つのページの一部にする。これにより、タッチ位置をスクロールバーから離隔または近接させることにより１つのページ内において画面に表示させる箇所を変化させることができる。これにより、より柔軟かつ詳細に表示を所望するページの捜索および表示を行うことができる。
【０１４２】
（第２実施形態）
本発明の第２実施形態に係る電子表示端末、電子表示端末用プログラム、電子表示端末用プログラムが記録された記録媒体、および表示方法について説明する。
【０１４３】
本実施形態と上述した第１実施形態とで異なる点は、本実施形態は、特定ペンマークその他のペンマークをスクロールバーに表示させない点である。その他の点については、本実施形態は第１実施形態と同様であるため重複する説明は省略または簡略化する。
【０１４４】
図１６は、スクロールバーに対し離隔または近接させる方向にタッチ入力する位置を変化させることに対応してページ表示領域に表示されるページが切り替わる様子を示す説明図である。
【０１４５】
図１６に示すように、スクロールバー５０３のバー５０３１の周辺には、タッチペン８０１によりタッチ入力された位置を座標として検出するための座標が設けられる。座標は、バー５０３１の長さ方向（第１方向）に設けられたＸ軸と、バー５０３１の長さ方向に対し垂直方向（第２方向）に設けられたＹ軸とにより設定されることができる。なお、Ｙ軸はＸ軸と異なる方向に設けられればよく、例えば、Ｙ軸はＸ軸に対し４５度の角度をなす方向に設けられてもよい。
【０１４６】
Ｘ軸はバー５０３１と重ねて設定され、Ｘ座標はスクロールバー５０３のバー５０３１と重なる部分に設定される。従って、Ｘ軸上においてタッチ入力されることでページ表示領域５０１に表示させるページが切り替わる。しかし、ファイルのページ数が増大すると、ページ番号が隣接するページのページ位置にそれぞれ対応するＸ座標の間隔が狭くなるため、Ｘ軸上のタッチ入力によりページ表示領域５０１に表示されるページを１ページ毎に切り替えることが困難になる。
【０１４７】
本実施形態においては、スクロールバー５０３のバー５０３１の長さ方向にバー５０３１と重ねてＸ座標を設定するとともに、バー５０３１の長さ方向に対し垂直方向にＹ座標を設定する。そして、タッチ入力された位置のＸ座標に基づいてページ表示領域５０１に表示されるページを切り替えるとともに、さらに、タッチ入力された位置のＹ座標に基づいてページ表示領域５０１に表示されるページを切り替える。この際、隣接するページ番号のページに切り替えるために必要なタッチ入力位置のＹ座標の変化量は、Ｘ座標のそれよりも大きく設定される。これにより、Ｘ軸上のタッチ入力によりページ表示領域５０１に表示されるページを１ページ毎に切り替えることが困難な場合であっても、タッチ入力位置をＹ軸方向に移動させることでページ表示領域５０１に表示されるページのページ毎の切り替えを容易にすることができる。
【０１４８】
スクロールバー５０３のノブ５３０２は、タッチ入力により切り替わった後にページ表示領域５０１に表示されたページのページ位置を表わすバー５０３１上の位置に移動する。
【０１４９】
ユーザーは、例えば、スクロールバー５０３のバー５０３１の長さを手掛かりとしてＸ軸上でタッチ入力をして、大雑把に、表示を所望するページのページ番号に近いページ番号のページを表示領域５０１に表示させる。その後、タッチペン８０１をＹ軸のプラス方向にスライドさせてタッチ入力位置のＹ座標を変化させることでページ表示領域５０１に表示されるページを１ページ毎にページ番号が増大する方向に切り替えることにより、正確に表示を所望するページを表示させることができる。なお、タッチペン８０１をＹ軸のマイナス方向にスライドさせてタッチ入力位置のＹ座標を変化させることでページ表示領域５０１に表示されるページを１ページ毎にページ番号が減少する方向に切り替えることにより、正確に表示を所望するページを表示させることもできる。
【０１５０】
また、ユーザーは、スクロールバー５０３のバー５０３１の長さや、現在表示領域５０１に表示されているページのページ位置を表わすノブ５３０２の位置を手掛かりとして、スクロールバー５０３から離隔した位置にタッチ入力をすることができる。これにより、スクロールバー５０３のバー５０３１上でタッチ入力する場合よりも正確に表示を所望するページをページ表示領域５０１に表示させることができる。
【０１５１】
図１６においては、スクロールバー５０３のノブ５０３２の位置が第２０ページのページ位置を表わす位置にあるため、表示部２０４のページ表示領域５０１には第２０ページが表示されている。この状態からスクロールバー５０３から離隔する方向であるＹ軸のプラス方向にタッチペン８０１によるタッチ入力の位置を移動させると、例えば、第２０ページから第２５ページまで１ページ毎にページを容易に切り替えてページ表示領域５０１にページを表示させることができる。
【０１５２】
図１７は、本実施形態に係る電子ペーパー端末の各動作のフローチャートである。
【０１５３】
システム制御部２０１は、電源が投入されると初期設定を行う（Ｓ１７０１）。
【０１５４】
システム制御部２０１は、スクロールバー５０３の表示処理を行う（Ｓ１７０２）。図１８は、ステップＳ１７０２のサブルーチンフローチャートである。
【０１５５】
システム制御部２０１は、ユーザーによる指示に基づく新たなファイルのロードがあったかどうか判断する（Ｓ１８０１）。システム制御部２０１は、新たなファイルのロードがないと判断したときは（Ｓ１８０１：ＮＯ）、本サブルーチンフローチャートを終了する。
【０１５６】
システム制御部２０１は、新たなファイルのロードがあったと判断したときは（Ｓ１８０１：ＹＥＳ）、ロードされたファイルのトップページ（第１ページ）を表示部２０４のページ表示領域５０１に表示する。
【０１５７】
システム制御部２０１は、スクロールバー５０３の表示処理を行い、スクロールバー５０３をタッチパネル上に表示させる（Ｓ１８０３）。この際、スクロールバー５０３のバー５０３１の周辺には、タッチペン８０１によるタッチ入力の位置を座標として検出するための座標が設けられる。
【０１５８】
図１７に戻り、システム制御部２０１は、ファイルの保存処理を行う（Ｓ１７０３）。図１９は、ステップＳ１７０３のサブルーチンフローチャートである。
【０１５９】
システム制御部２０１は、ユーザーによる指示に基づき、ファイルを保存するかどうか判断する（Ｓ１９０１）。システム制御部２０１は、ファイルを保存しないと判断したときは（Ｓ１９０１：ＮＯ）、本サブルーチンフローチャートを終了する。
【０１６０】
システム制御部２０１は、ファイルを保存すると判断したときは（Ｓ１９０１：ＹＥＳ）、ユーザーにより手書きが追加されたファイルの保存かどうか判断する（Ｓ１９０２）。システム制御部２０１は、手書きが追加されたファイルの保存ではないと判断したときは（Ｓ１９０２：ＮＯ）、ステップＳ１９０４に移行し、ファイルを保存する。
【０１６１】
システム制御部２０１は、手書きが追加されたファイルの保存であると判断したときは（Ｓ１９０２：ＹＥＳ）、手書きページの情報をレイヤーデータとしてファイルに付加する。
【０１６２】
システム制御部２０１は、ファイルに手書きページの情報が付加されている場合は、手書きページの情報とともにファイルを保存する（Ｓ１９０４）。
【０１６３】
図１７に戻り、システム制御部２０１は、タッチ入力の処理および画面表示処理を行う（Ｓ１７０４）。図２０は、ステップＳ１７０４のサブルーチンフローチャートである。
【０１６４】
操作部２０５は、ユーザーによりタッチ入力がされたかどうか判断する（Ｓ２００１）。操作部２０５は、タッチ入力がされていないと判断したときは（Ｓ２００１：ＮＯ）、本サブルーチンフローチャートを終了する。
【０１６５】
操作部２０５は、タッチ入力がされたと判断したときは（Ｓ２００１：ＹＥＳ）、表示部２０４の、ページが表示されるページ表示領域５０１の範囲外であってタッチ入力の位置を座標として検出するための座標が設けられた下部表示部５０４にタッチ入力がされたかどうか判断する（Ｓ２００２）。操作部２０５は、下部表示部５０４にタッチ入力がされていないと判断したときは（Ｓ２００２：ＮＯ）、その他の処理を行う（Ｓ２００５）。その他の処理とは、例えば、ページへの手書き入力の処理である。
【０１６６】
操作部２０５は、下部表示部５０４にタッチ入力がされたと判断したときは（Ｓ２００２：ＹＥＳ）、タッチ入力された座標（Ｘ，Ｙ）に基づいて、当該座標に対応するページ位置のページをページ表示領域５０１に表示させる。
【０１６７】
ステップＳ２００２〜ステップＳ２００４は、タッチ入力が終了するまで繰り返される（Ｓ２００４）。すなわち、例えば、ユーザーがタッチペン８０１を下部表示部５０４内でタッチしたままスライドさせている間はタッチ入力が終了していない。従って、このような場合は、タッチペン８０１がスライドされることで連続的にタッチ入力されている位置の座標に基づき、当該座標に割り当てられたページがページ表示領域５０１に連続的に表示される。
【０１６８】
図１７に戻り、システム制御部２０１は、その他の入出力処理を行う（Ｓ１７０５）。その他の入出力処理とは、例えば、書込みが追加されたファイルのＰＣ１０への送信である。
【０１６９】
システム制御部２０１は、ユーザーにより電源ＯＦＦの操作がされるまでステップＳ１７０２〜Ｓ１７０６を繰り返し行う（Ｓ１７０６）。
【０１７０】
以上、本発明の第２実施形態に係る電子表示端末、電子表示端末用プログラム、電子表示端末用プログラムが記録された記録媒体、および表示方法について説明したが、本実施形態は以下の効果を奏する。
【０１７１】
スクロールバーを備える表示端末において、ユーザーにより画面上でタッチ入力された位置の、スクロールバーのバーの長さ方向である第１方向の位置要素と当該第１方向とは異なる第２方向の位置要素とに基づいて表示するドキュメントの領域を切り替える。また、領域が切り替えられた後に表示される当該領域が含まれるページのページ位置を、バーの長さに対するバー上の指標の相対的な位置として表示する。これにより、所望のページの候補であるページが集中し、表示しようとするページの位置をスクロールバーのバー上で正確にタッチ入力できない場合であっても、バーから離れた位置におけるタッチ入力に基づいてより正確に表示したいドキュメントの領域を表示できる。従って、ドキュメントのページ数が増大し、かつ表示を所望するページの候補が連続的に存在することにより集中しても、ドキュメントの表示領域を確保しつつ表示を所望するページの捜索および表示を容易に実現することができる。
【０１７２】
なお、本発明に係る電子表示端末、電子表示端末用プログラム、電子表示端末用プログラムが記録された記録媒体、および表示方法は上述した実施形態に限定されるものではない。
【０１７３】
例えば、上記実施形態においては、手書きが追加されたページを特徴付けされたページとして説明したが、特徴付けされたページは、例えば、ページの目印として一般的に付加されるしおりが付加されたページであってもよい。
【０１７４】
また、上記実施形態におけるスクロールバーの表示処理およびページの特徴付けは、新たなファイルのロード時に限定するものではなく、ユーザーによる新たな手書き処理が追加された際に逐次更新されるようにしてもよい。
【０１７５】
また、上記実施形態においては、特定ペンマーク以外の手書きが追加された単一のページのページ位置を示すペンマークに関し、ペンマーク上でタッチ入力することにより当該ページ全体がページ表示領域に表示されるものとして説明した。しかし、当該ペンマーク上でタッチ入力される位置に基づいて一つのページ内における例えば高さ方向の表示範囲（ファイルの領域）を変えるようにしてもよい。
【０１７６】
また、上記実施形態においては、スクロールバーを表示部のページ表示領域の下部に配置しているが、ページ表示領域の周辺であればページ表示領域の下部に限定されない。
【０１７７】
また、上記実施形態においては、電子ペーパー端末の各動作は、プログラムに基づいて実施されるものとして説明したが、プログラムにより実施される動作の一部または全部をハードウェアに置き替えて実施されてもよい。
【符号の説明】
【０１７８】
１    表示システム、
１０    ＰＣ、
２０    電子ペーパー端末、
２０４    表示部、
５０１    ページ表示領域、
５０２    ページめくりボタン、
５０３    スクロールバー、
５０４    下部表示部、
６０１    手書き、
６０２    線の書式変更用アイコン、
８０１    タッチペン、
９０１    ファイルの全ページ、
９０２    手書きが追加されたページ、
５０３１    バー、
５０３２    ノブ、
５０３３    ペンマーク、
５０３３Ａ    特定ペンマーク。
【図１】
0006052074.tif 000002
【図２】
0006052074.tif 000003
【図３】
0006052074.tif 000004
【図４】
0006052074.tif 000005
【図５】
0006052074.tif 000006
【図６】
0006052074.tif 000007
【図７】
0006052074.tif 000008
【図８】
0006052074.tif 000009
【図９】
0006052074.tif 000010
【図１０】
0006052074.tif 000011
【図１１】
0006052074.tif 000012
【図１２】
0006052074.tif 000013
【図１３】
0006052074.tif 000014
【図１４】
0006052074.tif 000015
【図１５】
0006052074.tif 000016
【図１６】
0006052074.tif 000017
【図１７】
0006052074.tif 000018
【図１８】
0006052074.tif 000019
【図１９】
0006052074.tif 000020
【図２０】
0006052074.tif 000021